(57)【要約】【課題】  無線通信ＩＣデバイスを名刺に簡単で安価に貼り付ける。【解決手段】  名刺本体１００の名刺裏面１２０に印刷されたアンテナ１３０と、アンテナ１３０が印刷された名刺本体１００に貼り付けられ、アンテナ１３０を介して外部と無線通信する無線通信ＩＣデバイス２００とを備えた無線通信ＩＣデバイス付き名刺１０であって、無線通信ＩＣデバイス２００は、名刺の使用者の情報を格納する情報格納部２２０、および、情報格納部２２０から情報を読み出して外部に無線送信する無線制御部２１０を有し、無線通信ＩＣデバイス２００が名刺本体１００に貼り付けられる場合にアンテナ１３０と無線制御部２１０とを電気的に接続すべく、無線通信ＩＣデバイス２００を名刺本体１００に位置合わせする位置合わせマーク３００が少なくとも名刺本体１００に印刷されている。【選択図】図２
2005084757.tif 000002
【特許請求の範囲】
【請求項１】
名刺本体と、
前記名刺本体の一面に印刷されたアンテナと、
前記アンテナを介して外部と無線通信する無線通信ＩＣデバイスと
を備えた無線通信ＩＣデバイス付き名刺であって、
前記無線通信ＩＣデバイスは、名刺の使用者の情報を格納する情報格納部、前記情報格納部から前記情報を読み出して外部に無線送信する無線制御部、並びに、前記情報格納部および前記無線制御部を前記名刺本体に貼り付ける保護シールを有し、
前記保護シールは、前記無線制御部を前記アンテナに接続する接続配線パターンを有し、
前記保護シールが前記名刺本体に貼り付けられる場合に前記アンテナと前記接続配線パターンとを電気的に接続すべく、前記無線通信ＩＣデバイスを前記名刺本体に位置合わせする位置合わせマークが少なくとも前記名刺本体に印刷されている
無線通信ＩＣデバイス付き名刺。
【請求項２】
前記位置合わせマークは、前記名刺本体の前記一面内において前記無線通信ＩＣデバイスが貼り付けられるべき向きをさらに示す請求項１に記載の無線通信ＩＣデバイス付き名刺。
【請求項３】
前記アンテナは、前記アンテナの両端を結ぶ線分の間を少なくとも一度横切り、途中で交差しない導線により形成され、
前記無線通信ＩＣデバイスの前記配線パターンは、前記保護シールが前記名刺本体に貼り付けられる場合に、前記アンテナの前記両端と電気的に接続し、前記アンテナの前記導線との間に電気的な絶縁物を介して前記アンテナの前記導線を跨ぐ請求項１に記載の無線通信ＩＣデバイス付き名刺。
【請求項４】
前記アンテナは、前記アンテナの両端を結ぶ線分の外側の領域において単一のループを有する導線により形成され、
前記無線通信ＩＣデバイスの前記配線パターンは、前記保護シールが前記名刺本体に貼り付けられる場合に、前記アンテナの前記両端と電気的に接続する請求項１に記載の無線通信ＩＣデバイス付き名刺。
【請求項５】
前記無線通信ＩＣデバイスは、前記無線通信ＩＣデバイスの前記一面において前記アンテナの前記両端を除く領域に設けられた接着層をさらに有する請求項３または４に記載の無線通信ＩＣデバイス付き名刺。
【請求項６】
前記無線通信ＩＣデバイスの前記一面には、前記名刺本体に貼り付けられる前の状態において前記無線通信ＩＣデバイスの前記一面を覆うシートであって、前記アンテナの上に貼り付けられるべき領域と前記アンテナの上に貼り付けられない領域とに個別に剥がされるべく切り込まれたシートが配される請求項３または４に記載の無線通信ＩＣデバイス付き名刺。
【請求項７】
前記無線通信ＩＣデバイスは、前記名刺本体の前記位置合わせマークに対応する位置にＩＣ側マークを有する請求項１から６のいずれかに記載の無線通信ＩＣデバイス付き名刺。
【請求項８】
名刺本体と、
前記名刺本体の一面に印刷されたアンテナと、
前記アンテナを介して外部と無線通信する無線通信ＩＣデバイスと
を備えた無線通信ＩＣデバイス付き名刺であって、
前記無線通信ＩＣデバイスは、名刺の使用者の情報を格納する情報格納部、前記情報格納部から前記情報を読み出して外部に無線送信する無線制御部、並びに、前記情報格納部および前記無線制御部を前記名刺本体に貼り付ける保護シールを有し、
前記保護シールは、前記無線制御部を前記アンテナに接続する接続配線パターンを有し、
前記保護シールが前記名刺本体に貼り付けられる場合に前記アンテナと前記接続配線パターンとを電気的に接続すべく、前記アンテナは、前記名刺本体の前記一面に引き回された導線、および、前記導線の両端に配され、前記導線よりも幅が広い一対のアンテナ端部を有する
無線通信ＩＣデバイス付き名刺。
【請求項９】
前記保護シールの接続配線パターンは、前記保護シールが前記名刺本体に貼り付けられた場合に前記一対のアンテナ端部が配される位置に、前記アンテナの前記導線よりも幅が広い一対のＩＣ側接続部を有する請求項８に記載の無線通信ＩＣデバイス付き名刺。
【発明の詳細な説明】
【技術分野】
【０００１】
本発明は、無線通信ＩＣデバイス付き名刺に関する。特に、本発明は、名刺本体に無線通信ＩＣデバイスが貼り付けられた無線通信ＩＣデバイス付き名刺に関する。
【背景技術】
【０００２】
名刺にはその名刺を使用する使用者の情報として、使用者の所属する会社名、部署名、使用者の氏名等が表面に印刷される。名刺を渡された者は、これらの印刷された情報を目で読み取ることができる。また、無線通信ＩＣデバイスおよびこの無線通信ＩＣデバイスに電気的に接続された渦巻き状のアンテナパターンが配された基材を名刺の裏面に貼り付けた、名刺に印刷される情報を電子的に無線通信ＩＣデバイスに格納した無線通信ＩＣデバイス付き名刺がある（例えば、特許文献１を参照）。この無線通信ＩＣデバイス付き名刺は、外部のリーダライタから電磁波を受けることにより、アンテナパターンに起電力を生じて無線通信ＩＣデバイスが起動し、リーダライタとの間で無線通信する。
【特許文献１】特開２００２−１８３６９３号公報（第１図）
【発明の開示】
【発明が解決しようとする課題】
【０００３】
しかしながら、上記の無線通信ＩＣデバイス付き名刺において、アンテナパターンは基材に金属箔をラミネートした後にエッチングすることにより形成されるので、製造のコストが高く、また、名刺の折り曲げなどによりアンテナパターンが断線するという課題がある。また、アンテナパターンに電気的に接続される無線通信ＩＣデバイスは数ｍｍ角以下のＩＣチップであるため、人手により無線通信ＩＣデバイスをアンテナパターンに対して位置決めして取り付けることが非常に困難であるという課題がある。
【課題を解決するための手段】
【０００４】
上記課題を解決するために、本発明の第１の形態においては、名刺本体と、名刺本体の一面に印刷されたアンテナと、アンテナを介して外部と無線通信する無線通信ＩＣデバイスとを備えた無線通信ＩＣデバイス付き名刺であって、無線通信ＩＣデバイスは、名刺の使用者の情報を格納する情報格納部、情報格納部から情報を読み出して外部に無線送信する無線制御部、並びに、情報格納部および無線制御部を名刺本体に貼り付ける保護シールを有し、保護シールは、無線制御部をアンテナに接続する接続配線パターンを有し、保護シールが名刺本体に貼り付けられる場合にアンテナと接続配線パターンとを電気的に接続すべく、無線通信ＩＣデバイスを名刺本体に位置合わせする位置合わせマークが少なくとも名刺本体に印刷されている。印刷により簡便にアンテナを名刺に設けることができると共に、アンテナと無線通信ＩＣデバイスとを位置合わせマークにより位置決めして貼り合わせることができる。
【０００５】
上記無線通信ＩＣデバイス付き名刺において、位置合わせマークは、名刺本体の一面内において無線通信ＩＣデバイスが貼り付けられるべき向きをさらに示してもよい。これにより、無線通信ＩＣデバイスを名刺本体に貼り付ける向きを間違えることを防ぐことができる。
【０００６】
上記無線通信ＩＣデバイス付き名刺において、アンテナは、アンテナの両端を結ぶ線分の間を少なくとも一度横切り、途中で交差しない導線により形成され、無線通信ＩＣデバイスの配線パターンは、保護シールが名刺本体に貼り付けられる場合に、アンテナの両端と電気的に接続し、アンテナの導線との間に電気的な絶縁物を介してアンテナの導線を跨いでもよい。これにより、アンテナの導線を、絶縁物を介して交差させて配線することなく、アンテナの両端と無線制御部とを電気的に接続することができる。
【０００７】
上記無線通信ＩＣデバイス付き名刺において、アンテナは、アンテナの両端を結ぶ線分の外側の領域において単一のループを有する導線により形成され、無線通信ＩＣデバイスの配線パターンは、保護シールが名刺本体に貼り付けられる場合に、アンテナの両端と電気的に接続してもよい。これにより、配線パターンにおける名刺本体側を電気的な絶縁物で覆うことなく簡便な構成にすることができる。
【０００８】
無線通信ＩＣデバイス付き名刺において、無線通信ＩＣデバイスは、無線通信ＩＣデバイスの一面においてアンテナの両端を囲む領域に設けられた接着層をさらに有してもよい。これにより、アンテナの両端と無線制御部とを電気的に接触させつつ、無線通信ＩＣデバイスを名刺本体に確実に貼り付けることができる。
【０００９】
上記無線通信ＩＣデバイス付き名刺において、無線通信ＩＣデバイスの一面には、名刺本体に貼り付けられる前の状態において無線通信ＩＣデバイスの一面を覆うシートであって、アンテナの上に貼り付けられるべき領域とアンテナの上に貼り付けられない領域とに個別に剥がされるべく切り込まれたシートが配されてもよい。アンテナを避けた領域の裏紙を剥がし、この領域において無線通信ＩＣデバイスを名刺本体に仮止めすることができ、また、仮止めをやり直す場合にアンテナを断線するおそれを少なくすることができる。
【００１０】
上記無線通信ＩＣデバイス付き名刺において、無線通信ＩＣデバイスは、名刺本体の位置合わせマークに対応する位置にＩＣ側マークを有してもよい。これにより、名刺本体の位置合わせマークとＩＣ側マークとを位置合わせすることにより、より正確に名刺本体に対して無線通信ＩＣデバイスを位置決めすることができる。
【００１１】
本発明の第２の形態においては、名刺本体と、前記名刺本体の一面に印刷されたアンテナと、前記アンテナを介して外部と無線通信する無線通信ＩＣデバイスとを備えた無線通信ＩＣデバイス付き名刺であって、前記無線通信ＩＣデバイスは、名刺の使用者の情報を格納する情報格納部、前記情報格納部から前記情報を読み出して外部に無線送信する無線制御部、並びに、前記情報格納部および前記無線制御部を前記名刺本体に貼り付ける保護シールを有し、前記保護シールは、前記無線制御部を前記アンテナに接続する接続配線パターンを有し、前記保護シールが前記名刺本体に貼り付けられる場合に前記アンテナと前記接続配線パターンとを電気的に接続すべく、前記アンテナは、前記名刺本体の前記一面に引き回された導線、および、前記導線の両端に配され、前記導線よりも幅が広い一対のアンテナ端部を有する。これにより、名刺本体に無線通信ＩＣデバイスを保護シールにより貼り付ける場合に、名刺本体に印刷されたアンテナと無線通信デバイスとを確実に電気的に接続することができる。
【００１２】
上記無線通信ＩＣデバイスであって、前記保護シールの接続配線パターンは、前記保護シールが前記名刺本体に貼り付けられた場合に前記一対のアンテナ端部が配される位置に、前記アンテナの前記導線よりも幅が広い一対のＩＣ側接続部を有してもよい。これにより、名刺本体に無線通信ＩＣデバイスを保護シールにより貼り付ける場合に、名刺本体に印刷されたアンテナと無線通信デバイスとをより確実に電気的に接続することができる。
【００１３】
なお、上記の発明の概要は、本発明の必要な特徴の全てを列挙したものではなく、これらの特徴群のサブコンビネーションもまた、発明となりうる。
【発明を実施するための最良の形態】
【００１４】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１５】
図１は、本発明の実施形態に係る無線通信ＩＣデバイス付き名刺１０の平面図である。無線通信ＩＣデバイス付き名刺１０はシート状の名刺本体１００を有し、名刺本体１００は例えば紙製である。名刺本体１００の名刺表面１１０には、無線通信ＩＣデバイス付き名刺１０を使用する使用者についての情報として、会社ロゴ、社名、部署名、氏名、住所および電話番号等が印刷される。これらの情報は、印刷装置の一例としてのインクジェット式記録装置からインクが吐出されることにより名刺表面１１０上に印刷され、人間の目で読み取ることができる。これにより、名刺表面１１０は通常の名刺として機能する。
【００１６】
図２は、無線通信ＩＣデバイス付き名刺１０の背面図である。名刺本体１００の名刺裏面１２０には、アンテナ１３０と、アンテナ１３０の一部を覆うように貼り付けられた無線通信ＩＣデバイス２００が配される。名刺裏面１２０および無線通信ＩＣデバイス２００にはそれぞれ位置合わせマーク３００が設けられ、これら位置合わせマーク３００により無線通信ＩＣデバイス２００が名刺裏面１２０に対して位置決めされて貼り付けられている。無線通信ＩＣデバイス２００は、アンテナ１３０を介して外部と無線通信する。また、無線通信ＩＣデバイス２００の外縁は、名刺本体１００の外縁よりも内側に配されている。これにより、名刺本体１００の外縁が外部と接触して折り曲げられた場合であっても、無線通信ＩＣデバイス２００が名刺本体１００から剥がれにくい。
【００１７】
図３は、名刺本体１００において名刺裏面１２０に無線通信ＩＣデバイス２００が貼り付けられる前の状態を示す。アンテナ１３０は、名刺裏面１２０の外縁に沿って引き回された導線１３６と、導線１３６の両端に導線１３６よりも幅が広いアンテナ端部１３２、１３４とを備える。導線１３６は、これら一対のアンテナ端部１３２、１３４を結ぶ線分を少なくとも一度（図３に示す実施形態においては二度）通過し、途中で交差せずに渦巻き状に形成される。アンテナ端部１３２、１３４、および、導線１３６は、例えば、金属等の電気導電性を有する材料を溶媒に溶かした液体をインクジェット式記録装置から吐出することにより、名刺裏面１２０に印刷される。これにより、印刷により簡便にアンテナ１３０を名刺本体１００に設けることができる。なお、図３に示すアンテナ１３０は、名刺裏面１２０の外縁に沿って３周引き回されているが、アンテナ１３０の形状はこれに限られず、外部と通信する周波数や外部からの電磁波により生成すべき起電力に応じて、引き回しの形状、面積、巻き回数を設定することができる。
【００１８】
名刺裏面１２０にはさらに、上述の位置合わせマーク３００の一部である名刺側マーク３１０、３２０が設けられる。図３における破線は、無線通信ＩＣデバイス２００が貼り付けられる位置を示す。無線通信ＩＣデバイス２００が貼り付けられる位置の左外側の上下中央近傍に右向きの白抜き三角形の名刺側マーク３１０が配されると共に、無線通信ＩＣデバイス２００が貼り付けられる位置の下外側かつ左寄りに上向きの黒塗りつぶし三角形の名刺側マーク３２０が配される。これら名刺側マーク３１０、３２０は、インクジェット式記録装置からインクが吐出されることにより印刷される。図３に示す実施形態において、名刺側マーク３１０、３２０は、人間の目で読み取ることができる大きさに印刷される。
【００１９】
図４は、無線通信ＩＣデバイス付き名刺１０の無線通信ＩＣデバイス２００の構成を示す拡大平面図であり、図５は、図４の無線通信ＩＣデバイス２００をＡ−Ａ断面で切断した断面図である。図４は、名刺裏面１２０に貼り付けられる面と反対の面からみた平面図である。無線通信ＩＣデバイス２００は、電気絶縁性を有する樹脂等により横長の長方形のシート状に形成される保護シール２０２と、保護シール２０２に取り付けられる無線制御部２１０および情報格納部２２０と、互いに距離をおいて保護シール２０２に配されるＩＣ側接続部２３０、２４０と、これらＩＣ側接続部２３０、２４０を無線制御部２１０に電気的に接続する導線２３２、２４２とを有する。保護シール２０２の大きさは名刺本体１００よりも小さい。例えば、名刺本体１００の大きさが縦５．５ｃｍ、横９ｃｍ程度である場合に、保護シール２０２の大きさは縦１．５ｃｍ、横２ｃｍ程度に形成される。本実施形態において保護シール２０２は透明であり、保護シール２０２における名刺裏面１２０に貼り付けられるのと反対側の面からＩＣ側接続部２３０、２４０等の位置が透けて目視できる。なお、ＩＣ側接続部２３０、２４０および導線２３２、２４２は、本発明における接続配線パターンの一例である。ＩＣ側接続部２３０、２４０は、アンテナ１３０の導線１３６よりも幅が広く、本実施形態においてはアンテナ１３０の一対のアンテナ端部１３２、１３４と略同一の外形および大きさを有する。
【００２０】
無線通信ＩＣデバイス２００の情報格納部２２０は、無線通信ＩＣデバイス付き名刺１０の利用者についての情報を格納する。例えば、情報格納部２２０は、無線通信ＩＣデバイス付き名刺１０の利用者についての情報として、名刺表面１１０に印刷された情報である会社ロゴ、社名、部署名、氏名、住所および電話番号を、外部から読み出し可能な電子的なデータとして格納する。情報格納部２２０は、名刺表面１１０に印刷された情報に代えて、または、名刺表面１１０に印刷された情報に加えて、他の情報を格納してもよい。他の情報の一例として、情報格納部２２０は、無線通信ＩＣデバイス付き名刺１０の使用者の会社が紹介されているインターネット上のホームページのＵＲＬを格納してもよい。無線制御部２１０は、名刺裏面１２０に貼り付けられた場合に、アンテナ１３０と電気的に接続する。これにより無線制御部２１０は、アンテナ１３０が受信した外部からの電磁波に基づいてアンテナ端部１３２、１３４に生じた起電力を用いて、情報格納部２２０から情報を読み出し、外部へ無線送信する。なお、図４においては説明のために無線制御部２１０、情報格納部２２０を機能ブロック図として分けて描き、拡大して示したが、本実施形態において、無線制御部２１０および情報格納部２２０は数ｍｍ角のＩＣチップに搭載されている。このＩＣチップの一例は、ＲＦＩＤタグ（Radio Frequency Identificationタグ）である。
【００２１】
図４に示すように、保護シール２０２には、無線通信ＩＣデバイス２００を名刺本体１００に位置合わせする位置合わせマーク３００の一部であるＩＣ側マーク３３０、３４０が印刷される。ＩＣ側マーク３３０、３４０は、これらが名刺側マーク３１０、３２０のそれぞれに対向した状態で無線通信ＩＣデバイス２００が名刺裏面１２０に貼り付けられた場合に、ＩＣ側接続部２３０、２４０がそれぞれ図３に示すアンテナ１３０のアンテナ端部１３２、１３４に重ね合わされて接触する位置に配される。本実施形態において、ＩＣ側マーク３３０が名刺側マーク３１０と位置合わせされるべきことと共に、ＩＣ側マーク３４０が名刺側マーク３２０と位置合わせされるべきことを明確にすべく、ＩＣ側マーク３３０は名刺側マーク３１０と同じく白抜き三角形を有し、ＩＣ側マーク３４０は名刺側マーク３２０と同じく黒塗りつぶし三角形を有する。これにより、無線通信ＩＣデバイス２００とアンテナ１３０とを位置合わせマーク３００により位置決めして、貼り合わせることができる。
【００２２】
図５に示すように、無線通信ＩＣデバイス２００の無線制御部２１０、情報格納部２２０および導線２３２、２４２は、保護シール２０２における名刺裏面１２０に近い面（図中の下面）に貼り付けられる。保護シール２０２の下面おいて、ＩＣ側接続部２３０、２４０およびその周囲を除いた領域には、保護シール２０２と同じ材質の保護シール２０４が貼り付けられ、無線制御部２１０、情報格納部２２０、導線２３２、２４２がこれら保護シール２０２および保護シール２０４に挟まれている。さらに、保護シール２０４における名刺裏面１２０に対向する面において、ＩＣ側接続部２３０、２４０およびその周囲を除いた領域（図４におけるの破線の外側の領域）には、接着剤が塗布された接着層２５０が設けられる。この状態において、ＩＣ側接続部２３０、２４０は、無線通信ＩＣデバイス２００において名刺裏面１２０側に露出している。これにより、アンテナ端部１３２、１３４とＩＣ側接続部２３０、２４０とを電気的に接触させつつ、無線通信ＩＣデバイス２００を名刺裏面１２０に確実に貼り付けることができる。また、無線通信ＩＣデバイス２００が名刺裏面１２０に貼りつけられた場合に、無線制御部２１０、情報格納部２２０、ＩＣ側接続部２３０、２４０、および導線２３２、２４２の上面は保護シール２０２に覆われているので、これらは外部から保護される。なお、図５の破線は、無線通信ＩＣデバイス２００が貼り付けられる名刺本体１００の断面を示す。
【００２３】
図６は、無線通信ＩＣデバイス２００を名刺裏面１２０に貼り付けられる面から見た背面斜視図である。図６は、無線通信ＩＣデバイス２００が名刺裏面１２０に貼り付けられる前の状態を示す。図６において、無線通信ＩＣデバイス２００には、名刺裏面１２０に貼り付けられる前の状態において、無線通信ＩＣデバイス２００の接着層を覆う裏紙２６０が貼り付けられている。裏紙２６０には図４に示す位置に切り込み２６２が設けられる。この切り込み２６２により、裏紙２６０は、無線通信ＩＣデバイス２００においてアンテナ１３０の上に貼り付けられるべき領域に貼り付けられた主部分２６６と、アンテナ１３０の上に貼り付けられない領域に貼り付けられた小片部分２６４とに切り分けられている。なお裏紙２６０は、本発明におけるシートの一例である。
【００２４】
無線通信ＩＣデバイス２００を名刺裏面１２０に貼り付ける場合に、まず、裏紙２６０の小片部分２６４が剥がされ、無線通信ＩＣデバイス２００の接着層２５０の一部が露出する。この接着層２５０を名刺裏面１２０に貼り付ける前の状態で、無線通信ＩＣデバイス２００が名刺裏面１２０上において位置合わせされる。この場合に、無線通信ＩＣデバイス２００のＩＣ側マーク３３０の三角形における左の頂点が名刺裏面１２０の名刺側マーク３１０の三角形における右の頂点に接し、ＩＣ側マーク３４０の三角形における下の頂点が名刺側マーク３２０の三角形における上の頂点に接するように、無線通信ＩＣデバイス２００が名刺裏面１２０上に位置決めされる。この位置決めにより、ＩＣ側接続部２３０がアンテナ端部１３２と接触し、ＩＣ側接続部２４０がアンテナ端部１３４と接触する。名刺側マーク３１０、３２０、およびＩＣ側マーク３３０、３４０は、名刺裏面１２０の面内における無線通信ＩＣデバイス２００の取り付け位置まわりの回転に対して角度が一義に定まるので、名刺裏面１２０の面内において無線通信ＩＣデバイス２００が貼り付けられるべき向きが分かる。よって、無線通信ＩＣデバイス２００を名刺裏面１２０に貼り付ける向きを間違えることを防ぐことができる。また、位置合わせされるべき名刺側マーク３１０とＩＣ側マーク３３０との組および名刺側マーク３２０とＩＣ側マーク３４０との組は、それぞれ同じ色（白または黒）を有しているので、いずれのマーク同士を位置合わせするかを容易に知ることができる。
【００２５】
上記により位置合わせされた状態で、無線通信ＩＣデバイス２００の接着層２５０において小片部分２６４が剥がされた部分を名刺裏面１２０に貼り付けることにより、無線通信ＩＣデバイス２００が名刺裏面１２０上に仮止めされる。なお、接着層２５０において小片部分２６４を剥がすことにより仮止めに用いられる部分は、アンテナ１３０上に貼り付けられる領域を避けた領域となっているので、仮止めをやり直すために無線通信ＩＣデバイス２００を名刺裏面１２０から剥がす場合に、アンテナ１３０が一緒に剥がれてアンテナ１３０の一部が断線することを防ぐことができる。
【００２６】
次に、無線通信ＩＣデバイス２００が名刺裏面１２０に仮止めされた状態で、主部分２６６が無線通信ＩＣデバイス２００から剥がされ、これにより露出した接着層２５０により無線通信ＩＣデバイス２００の全体が名刺裏面１２０に貼り付けられる。以上により、ＩＣ側接続部２３０、２４０がそれぞれアンテナ端部１３２、１３４に電気的に接続された状態で、無線通信ＩＣデバイス２００が名刺裏面１２０に貼り付けられる。また、無線通信ＩＣデバイス２００の導線２３２がアンテナ１３０の導線１３６との間を保護シール２０４により電気的に絶縁しつつ、導線１３６を跨いでアンテナ１３０のアンテナ端部１３２と導通する。これにより、アンテナ１３０の導線１３６自体を、絶縁物を介して交差させて配線することなく、アンテナ１３０のアンテナ端部１３２、１３４と無線制御部２１０とを電気的に接続することができる。よって、アンテナ１３０を印刷により簡単に形成することができる。
【００２７】
無線通信ＩＣデバイス２００が名刺裏面１２０に貼り付けられて無線制御部２１０がアンテナ１３０と電気的に接続した状態で、無線通信ＩＣデバイス付き名刺１０が外部のリーダライタから発した電磁波を受けると、アンテナ１３０が電磁波を受けてアンテナ端部１３２、１３４の間に起電力を生じる。アンテナ１３０と接続された無線通信ＩＣデバイス２００は、この起電力により起動して情報格納部２２０に情報を書き込み、または、情報格納部２２０にすでに格納された情報を読み出してリーダライタに無線発信する。
【００２８】
以上、本実施形態によれば、名刺側マーク３１０、３２０およびＩＣ側マーク３３０、３４０により無線通信ＩＣデバイス２００が名刺裏面１２０に対して位置決めされるので、名刺裏面１２０に印刷されたアンテナ１３０のアンテナ端部１３２、１３４が無線通信ＩＣデバイス２００から露出しているＩＣ側接続部２３０、２４０とそれぞれ確実に重なり合って接触することにより、電気的に接続することができる。よって、インクジェット式記録装置等によりアンテナ１３０が印刷された名刺本体１００に、予め製造された無線通信ＩＣデバイス２００を簡単に取り付けることができる。また、名刺側マーク３１０、３２０とアンテナ１３０とが一度の印刷工程により印刷される場合には、アンテナ１３０と名刺側マーク３１０、３２０とが別々に印刷されることにより生じる相対位置のずれをほぼなくすことができる。
【００２９】
なお、本実施形態において、位置合わせマーク３００は、いずれも三角形の名刺側マーク３１０、３２０、ＩＣ側マーク３３０、３４０を有し、これらの頂点を用いて位置決めがされるが、位置合わせマーク３００は三角形に限られない。位置合わせマーク３００の他の例として、無線通信ＩＣデバイス２００が貼られるべき領域の中で、名刺側マーク３１０、３２０がそれぞれ縦および横に走る線分を有すると共に、ＩＣ側マーク３３０、３４０にもそれぞれ縦および横に走る線分を有してもよい。この場合に、名刺側マーク３１０、３２０の線分がそれぞれＩＣ側マーク３３０、３４０の線分と重なるように位置合わせされる。また、本実施形態において位置合わせマーク３００は２箇所に設けられてこの２箇所で無線通信ＩＣデバイス２００が名刺裏面１２０に位置決めされるが、位置合わせマーク３００により位置決めされる箇所は２個に限られず、３個以上であってもよい。これにより、無線通信ＩＣデバイス２００を名刺裏面１２０に対してさらに正確に位置決めすることができる。さらに、位置合わせマークは、図３に示した破線に沿って、無線通信ＩＣデバイス２００が貼り付けられた場合における無線通信ＩＣデバイス２００の外形線として印刷されてもよい。この場合には、無線通信ＩＣデバイス２００側に位置合わせマーク３００を設ける必要がない。この場合に、名刺裏面１２０の面内において無線通信ＩＣデバイス２００が貼り付けられる向きを明確にするために、例えば、保護シール２０２の上辺付近に「こちらを上にして貼り付けてください」等のメッセージをさらに印刷してもよい。
【００３０】
図７は、他の例のアンテナ１３０を有する名刺本体１００の名刺裏面１２０の背面図である。図１から図６に示す実施形態においてアンテナ１３０の導線１３６は三重の渦巻き状に形成されていたが、図７に示すアンテナ１３０の導線１３６はアンテナ端部１３２、１３４を結ぶ線分は横切らず、これら両端を結ぶ線分の外側において、短手方向に複数回往復した単一のループとして形成される。なお、図７において、図１から図６と同一の構成については同一の参照番号を付し、説明を省略する。この場合に、アンテナ端部１３２、１３４の両端を結ぶ線分上に導線１３６が存在しないので、図４および図５に示す無線通信ＩＣデバイス２００において、導線２３２における名刺裏面１２０側を電気絶縁性の保護シール２０４で覆うことなく、アンテナ端部１３２、１３４と無線制御部２１０とを電気的に接続することができる。
【００３１】
また、上記実施形態において、無線通信ＩＣデバイス２００のＩＣ側接続部２３０、２４０は、それぞれ保護シール２０２が名刺裏面１２０に貼り付けられることにより、アンテナ端部１３２、１３４と接触して導通する。しかしながら、ＩＣ側接続部２３０、２４０とアンテナ端部１３２、１３４とを更に確実にこれらを導通させるために、ＩＣ側接続部２３０、２４０とアンテナ端部１３２、１３４とを溶接してもよい。
【００３２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００３３】
【図１】本発明の実施形態に係る無線通信ＩＣデバイス付き名刺１０の平面図である。
【図２】無線通信ＩＣデバイス付き名刺１０の背面図である。
【図３】名刺裏面１２０に無線通信ＩＣデバイス２００が貼り付けられる前の状態を示す。
【図４】無線通信ＩＣデバイス付き名刺１０の無線通信ＩＣデバイス２００の構成を示す拡大平面図である。
【図５】図４の無線通信ＩＣデバイス２００をＡ−Ａ断面で切断した断面図である。
【図６】無線通信ＩＣデバイス２００を名刺裏面１２０に貼り付けられる面から見た背面斜視図である。
【図７】他の例のアンテナ１３０を有する名刺本体１００の名刺裏面１２０の背面図である。
【符号の説明】
【００３４】
１０  無線通信ＩＣデバイス付き名刺、１００  名刺本体、１１０  名刺表面、１２０  名刺裏面、１３０  アンテナ、１３２  アンテナ端部、１３４  アンテナ端部、１３６  導線、２００  無線通信ＩＣデバイス、２０２  保護シール、２０４  保護シール、２１０  無線制御部、２２０  情報格納部、２３０  ＩＣ側接続部、２３２  導線、２４０  ＩＣ側接続部、２４２  導線、２５０  接着層、２６０  裏紙、２６２  切り込み、２６４  小片部分、２６６  主部分、３００  位置合わせマーク、３１０  名刺側マーク、３２０  名刺側マーク、３３０  ＩＣ側マーク、３４０  ＩＣ側マーク
【図１】
2005084757.tif 000003
【図２】
2005084757.tif 000004
【図３】
2005084757.tif 000005
【図４】
2005084757.tif 000006
【図５】
2005084757.tif 000007
【図６】
2005084757.tif 000008
【図７】
2005084757.tif 000009